(57)【要約】【課題】接続不良の発生を防止できる端子台を備えた電源装置を提供する。【解決手段】ケース40は、一端側が開口されるとともにその一端側に開口のケース縁部40aを有する。電源回路50は、電子部品が実装された回路基板41、および回路基板41の一端側に実装された基板側端子52を有する。基板側端子52がケース40内の一端側に配置される。端子台12は、第１の面30aおよび第２の面30bを有するとともに第１の面30aに電線挿入孔を有する端子台本体30、および端子台本体30の第２の面30b側に配置され基板側端子52に接続される端子台側端子31を備えている。端子台側端子31が基板側端子52に接続された状態で、端子台本体30の第２の面30bがケース40のケース縁部40aに対向され、かつ、端子台本体30の第２の面30bとケース40のケース縁部40aとが対向する間隔Ａが、基板側端子52に対向する端子台本体30の対向部位35aと基板側端子52とが対向する間隔Ｂよりも狭い。【選択図】図１
2019175591.tif 000002
【特許請求の範囲】
【請求項１】
一端側が開口されるとともにその一端側にケース縁部を有するケースと；
電子部品が実装された回路基板、およびこの回路基板の一端側に実装された基板側端子を有し、前記ケース内に収納されるとともに前記基板側端子が前記ケース内の一端側に配置された電源回路と；
第１の面およびこの第１の面に対して反対側の第２の面を有するとともに前記第１の面に電線挿入孔を有する端子台本体、およびこの端子台本体の前記第２の面側に配置され前記基板側端子に接続される端子台側端子を備え、前記端子台側端子が前記基板側端子に接続された状態で、前記端子台本体の前記第２の面が前記ケースの前記ケース縁部に対向され、かつ、前記端子台本体の前記第２の面と前記ケースの前記ケース縁部とが対向する間隔が、前記基板側端子に対向する前記端子台本体の対向部位と前記基板側端子とが対向する間隔よりも狭い端子台と；
を具備することを特徴とする電源装置。
【請求項２】
前記基板側端子は、前記回路基板上に突出され、
前記端子台側端子は、前記基板側端子が差し込まれて接続される
ことを特徴とする請求項１記載の電源装置。
【請求項３】
光源と；
前記光源に点灯電源を供給する請求項１または２記載の電源装置と；
を具備することを特徴とする照明器具。
【発明の詳細な説明】
【技術分野】
【０００１】
本発明の実施形態は、端子台を備えた電源装置、およびこの電源装置を用いた照明器具に関する。
【背景技術】
【０００２】
従来、例えば照明器具では、器具本体に端子台および電源装置がそれぞれ取り付けられているとともに光源が配置されている。端子台と電源装置との間は内部配線で接続されていることが多い。
【０００３】
また、端子台を備えた電源装置がある。この場合、内部配線を用いず、端子構造によって接続することが可能となるが、端子台に電源線などの外部配線を挿入接続する際に端子台が動くと、端子構造に負荷が加わり、接続不良が生じる虞がある。
【先行技術文献】
【特許文献】
【０００４】
【特許文献１】特開２０１６−１１０９３３号公報
【発明の概要】
【発明が解決しようとする課題】
【０００５】
本発明が解決しようとする課題は、接続不良の発生を防止できる端子台を備えた電源装置および照明器具を提供することである。
【課題を解決するための手段】
【０００６】
実施形態の電源装置は、ケース、電源回路および端子台を備える。ケースは、一端側が開口されるとともにその一端側にケース縁部を有する。電源回路は、電子部品が実装された回路基板、および回路基板の一端側に実装された基板側端子を有し、ケース内に収納されるとともに基板側端子がケース内の一端側に配置される。端子台は、第１の面および第１の面に対して反対側の第２の面を有するとともに第１の面に電線挿入孔を有する端子台本体、および端子台本体の第２の面側に配置され基板側端子に接続される端子台側端子を備えている。端子台側端子が基板側端子に接続された状態で、端子台本体の第２の面がケースのケース縁部に対向され、かつ、端子台本体の第２の面とケースのケース縁部とが対向する間隔が、基板側端子に対向する端子台本体の対向部位と基板側端子とが対向する間隔よりも狭い。
【発明の効果】
【０００７】
実施形態によれば、接続不良の発生を防止できる端子台を備えた電源装置を提供することが期待できる。
【図面の簡単な説明】
【０００８】
【図１】一実施形態を示す電源装置の一部の正面図である。
【図２】同上電源装置の端子台および回路基板の斜視図である。
【図３】同上端子台の第１の面を示す側面図である。
【図４】同上端子台の端子収納部および端子台側端子の側面図である。
【図５】同上端子台の端子収納部および端子台側端子の正面図である。
【図６】同上電源装置の正面図である。
【図７】同上電源装置の側面図である。
【図８】同上電源装置を用いた照明器具の器具本体の正面図である。
【図９】同上照明器具の斜視図である。
【発明を実施するための形態】
【０００９】
以下、一実施形態を、図面を参照して説明する。
【００１０】
図８および図９に示すように、照明器具10は、長尺状の例えば天井直付形照明器具である。照明器具10は、長尺状の器具本体11を備えるとともに、この器具本体11に取り付けられた端子台12、電源装置13および光源ユニット14を備えている。
【００１１】
そして、図８に示すように、器具本体11は、細長く設けられた取付面部20、この取付面部20の長手方向に対して交差する短手方向の両側に設けられた側面部21、および取付面部20の長手方向の両端に設けられた端面部22を有し、取付面部20に対して反対側が開口形成されている。取付面部20には、配線孔23が設けられているとともに、天井などへの設置用の図示しない複数の取付孔が設けられている。さらに、取付面部20には、配線孔23に臨んで端子台12が取り付けられた電源装置13が取り付けられている。さらに、取付面部20の両端近傍には、光源ユニット14を器具本体11に取り付けるための取付金具24が取り付けられている。
【００１２】
また、図１ないし図３に示すように、端子台12は、端子台本体30、この端子台本体30内に配置された図示しない複数の電線接続端子および複数の端子台側端子31を備えている。
【００１３】
端子台本体30は、例えば樹脂製で、絶縁性を有している。端子台本体30は、例えばケースとこのケースに対して開閉可能なカバーとを有し、これらケースとカバーとを組み合わせて略直方体形状に形成されている。端子台本体30は、一側面を第１の面30a、この第１の面30aに対して反対側の他側面を第２の面30bとしている。
【００１４】
端子台本体30の第１の面30aには、複数の電線挿入孔32が形成されている。複数の電線挿入孔32には、少なくとも外部電源配線用およびこの外部電源の送り配線用が含まれ、さらに、調光信号配線用およびこの調光信号の送り配線用や、アース配線用およびこのアースの送り配線用などが含まれていてもよい。
【００１５】
端子台本体30内で各電線挿入孔32の内側に、各電線挿入孔32に挿入された電線を抜け止め係止した状態で電気的に接続する速結端子である電線接続端子がそれぞれ配置されている。さらに、端子台本体30の第１の面30aには、電線挿入孔32の近傍にリリース孔33が設けられている。このリリース孔33の内側には、電線接続端子を電線から離反させて電線を引抜き可能とする図示しないリリースボタンが配置されている。
【００１６】
端子台本体30は、第１の面30aおよび第２の面30bに直交する上面側から挿通されるねじ34によって電源装置13に取り付けられる。なお、端子台本体30の下面側には電源装置13側に嵌り込む突起が突設し、この突起とねじ34とで端子台本体30を電源装置13に位置決め固定するようにしてもよい。
【００１７】
端子台本体30の第２の面30bには、端子収納部35が一体に突出形成されている。端子収納部35は、端子台本体30の一側面の高さ方向の中間位置から突出されているとともに、端子台本体30の第２の面30bの幅方向に沿って幅広に形成されている。図４および図５に示すように、端子収納部35の突出方向の先端側には、複数の溝部36が所定の間隔をあけて設けられている。溝部36は、端子収納部35の先端面から端子収納部35の突出方向の中間位置に亘って設けられている。溝部36の先端側は、端子収納部35の先端側に向けて拡開するように傾斜状に設けられている。溝部36の内側には、端子台側端子31を収納する端子収納凹部37が設けられている。なお、端子収納部35は、端子台本体30とは別体に形成された後に端子台本体30に取り付けるようにしてもよい。
【００１８】
端子台側端子31は、端子収納部35の各溝部36内にそれぞれ配置されている。すなわち、端子台側端子31は、端子収納部35の各端子収納凹部37にそれぞれ収納されている。各端子台側端子31は、端子台本体30内に配置される複数の電線接続端子のうちの対応する電線接続端子に電気的に接続されている。
【００１９】
端子台側端子31は、例えば板ばねで構成されている。端子台側端子31は、板ばねの中間部に対して両端部が互いに対向するようにコ字形に折り曲げられるとともに、板ばねの両端部の先端側が板ばねの中間部側に向けて略Ｖ字形に屈曲されている。これら板ばねの先端側に、互いに接触されているとともに互いに接触する方向に弾性を有する一対の接触片部31aが設けられている。一対の接触片部31aは溝部36内に配置されている。
【００２０】
また、図６および図７に示すように、電源装置13は、ケース40、およびこのケース40内に収納される回路基板41を備えている。ケース40は両端が開口された四角形筒状に形成されている。ケース40は、例えば断面略コ字形のケース本体42と断面略コ字形のカバー43を有し、これらケース本体42とカバー43とを互いに組み合わせて四角形筒状に形成されている。
【００２１】
ケース本体42は、底板部44、およびこの底板部44の両側から立ち上げられた側板部45を有している。底板部44の一端側は側板部45よりも突出されている。底板部44の両端部には、器具本体11に取り付けるための取付片部46が設けられている。
【００２２】
カバー43は、上板部47、およびこの上板部47の両側に設けられた側板部48を有する断面略コ字形に形成されている。カバー43の両側の側板部48がケース本体42の両側の側板部45の外面側に配置されて固定されている。
【００２３】
ケース本体42の側板部45の一端側とカバー43（上板部47および側板部48を含む）の一端側とは一致し、これらケース本体42の側板部45の一端側およびカバー43（上板部47および側板部48を含む）の一端側とが、ケース40の一端側の開口縁を構成するケース縁部40aとなっている。
【００２４】
底板部44の一端側はケース本体42の側板部45の一端側およびカバー43の一端側であるケース縁部40aよりも突出し、この底板部44の突出する箇所に端子台12が配置されてねじ34で取り付けられる端子台取付部49が設けられている。すなわち、ケース40の一端側に端子台12を取り付ける端子台取付部49が設けられている。また、ケース本体42の他端側はカバー43の他端側よりも突出されている。
【００２５】
ケース40の両側の側板部45，48が対向する方向の幅であってケース40の長手方向に交差する幅方向の幅、および底板部44からのカバー43の上板部47の高さは、端子台取付部49に取り付けられる端子台12の端子台本体30の幅方向の幅および高さ方向の高さよりも小さい関係にある。すなわち、端子台12の端子台本体30の幅方向の幅および高さ方向の高さは、ケース40のケース縁部40aの幅および高さよりも大きい関係にある。そして、端子台12の端子台本体30が底板部44の端子台取付部49に取り付けられた状態で、端子台本体30の両側部および上側部がケース40のケース縁部40aよりも外側に突出し、端子台本体30の第２の面30bがケース40のケース縁部40aに対向される位置関係となる。
【００２６】
回路基板41は、外部から供給される交流電源などの外部電力を直流電源などの所定の点灯電源に変換して光源ユニット14に供給する電源回路50として構成されている。
【００２７】
回路基板41の一面は配線パターンが形成された配線パターン面41a、他面は電源回路50を構成する複数の電子部品51が実装される実装面41bである。実装面41bに実装される電子部品51は、リード線などの脚部を有し、この脚部が回路基板41を挿通して配線パターンにはんだ付け接続されている。
【００２８】
回路基板41の一端側には、端子台12の各端子台側端子31がそれぞれ接続される複数の基板側端子52が実装されている。基板側端子52は、略平板状に形成され、回路基板41の一端縁に対して直交するとともに回路基板41の実装面41bに対して垂直に立設されている。基板側端子52には少なくとも３つ以上の脚部53が設けられ、これら脚部53が回路基板41を挿通して配線パターンにはんだ付け接続されている。なお、基板側端子52は、強度を向上させるために屈曲部を設けたり、Ｌ字形に折曲してもよい。
【００２９】
回路基板41の一端側は、ケース40のケース縁部40aよりも内側に配置されている。したがって、回路基板41の一端側に設けられている複数の基板側端子52もケース40のケース縁部40aよりも内側に配置されている。
【００３０】
回路基板41の一端側と端子台12の端子収納部35とは当たらない高さ関係にある。すなわち、端子台取付部49に取り付けられた端子台12の端子収納部35は、回路基板41よりも高い高さ位置にある。さらに、回路基板41上の基板側端子52が端子収納部35の溝部36に入り込んで端子台側端子31に接続される高さ関係にある。
【００３１】
回路基板41の他端側には、光源ユニット14と配線によって接続するためのコネクタ54が実装されている。コネクタ54は、カバー43の他端部よりも外側に突出され、外側から配線可能とする。
【００３２】
また、図９に示すように、光源ユニット14は、器具本体11の開口側に嵌合されて取り付けられる細長い形状の図示しないユニット本体、このユニット本体に支持された光源60、およびこのユニット本体との間で光源60を覆う透光カバー61などを備えている。
【００３３】
ユニット本体には、器具本体11の各取付金具24に係合されて、光源ユニット14を器具本体に付勢して取り付ける図示しない取付ばね機構が取り付けられている。
【００３４】
光源60は、例えば発光モジュール62である。発光モジュール62は、細長い基板63、およびこの基板63に実装された発光素子64を備えている。発光素子64は、例えば表面実装形のＬＥＤなどが用いられるが、例えば有機ＥＬなどの他の発光素子でもよい。
【００３５】
光源ユニット14の発光モジュール62は、図示しない配線によって電源装置13に接続される。配線は先端に有するコネクタが電源装置13のコネクタ54に接続される。
【００３６】
そして、端子台12と電源装置13とを接続して組み立てるには、端子台本体30の第２の面30bを電源装置13のケース40の一端側に対向させた向きで、端子台12を端子台取付部49上に配置する。端子台取付部49上に沿って端子台12をケース40の一端側に近付けるように移動させ、端子台本体30の第２の面30bから突出する端子収納部35をケース40の一端側からケース40内に挿入する。
【００３７】
これにより、ケース40内の回路基板41上に立設されている各基板側端子52が端子収納部35の各溝部36に挿入されるとともに各溝部36内の各端子台側端子31に差し込まれる。端子台側端子31においては、一対の接触片部31a間に基板側端子52が差し込まれ、一対の接触片部31aが基板側端子52の両側から圧着して電気的に接続される。
【００３８】
端子台側端子31と基板側端子52とが接続された後も、端子台12がケース40の一端側に近付くように端子台12の移動を継続すると、端子台本体30の第２の面30bがケース40のケース縁部40aに当接し、端子台12の移動が規制される。
【００３９】
このとき、端子台本体30の第２の面30bとケース40のケース縁部40aとが対向する間隔Ａが、基板側端子52に対向する端子台本体30の対向部位、つまり端子台収納部35の溝部36の奥側の内面である対向部位35aと基板側端子52とが対向する間隔Ｂよりも小さい関係にある。そのため、電源装置13への端子台12の組立時、端子台本体30側の対向部位35aが基板側端子52に接触することがなく、基板側端子52に無理な負荷が加わることがない。
【００４０】
接続した端子台12はねじ34でケース40の端子台取付部49に固定する。
【００４１】
また、端子台12を組み立てた電源装置13は、端子台12を配線孔23に向けて器具本体11に取り付けられる。
【００４２】
また、照明器具10を天井などの設置面に設置するには、設置面から引き出されている電源線および信号線や送り配線などの電線を器具本体11の配線孔23から器具内に引き込み、器具本体11を設置面に固定する。器具内に引き込んだ電線は端子台12の対応する電線挿入孔32に挿入して電線接続端子に接続する。光源ユニット14と電源装置13とを配線によって接続し、光源ユニット14を取付ばね機構によって器具本体11に取り付ける。
【００４３】
そして、電線を端子台12の電線挿入孔32に挿入接続する際、電線挿入方向から端子台12が押され、端子台本体30やこの端子台本体30を取り付けているケース本体42の底板部44が撓んで、端子台12が動くことがある。
【００４４】
電線挿入方向に端子台12が動くと、端子台本体30の第２の面30bがケース40のケース縁部40aに当接し、端子台12の動きが規制される。
【００４５】
このとき、端子台本体30の第２の面30bとケース40のケース縁部40aとが対向する間隔Ａが、基板側端子52に対向する端子台本体30の対向部位、つまり端子台収納部35の溝部36の奥側の内面である対向部位35aと基板側端子52とが対向する間隔Ｂよりも小さい関係にある。そのため、端子台12への電線挿入時に、端子台12が電線挿入方向に動いても、端子台本体30側の対向部位35aが基板側端子52に接触することがなく、基板側端子52に無理な負荷が加わることがない。
【００４６】
また、交流電源などの外部電源が端子台12を通じて電源装置13に供給されると、電源装置13により外部電源を直流電源などの所定の点灯電源に変換して発光モジュール62に供給され、発光素子64が点灯する。
【００４７】
そして、本実施形態の照明器具10では、端子台本体30の第２の面30bとケース40のケース縁部40aとが対向する間隔Ａが、基板側端子52に対向する端子台本体30の対向部位、つまり端子台収納部35の溝部36の奥側の内面である対向部位35aと基板側端子52とが対向する間隔Ｂよりも小さい関係にあるため、電源装置13への端子台12の組立時や端子台12への電線挿入時に、端子台本体30側の対向部位35aが基板側端子52に接触することがなく、基板側端子52に無理な負荷が加わることがない。そのため、基板側端子52は回路基板41にはんだ付け接続されているが、はんだ付け部分に無理な負荷が加わらず、接続不良の発生を防止することができる。
【００４８】
また、電源装置13の基板側端子52は、少なくとも３つ以上の脚部53を有し、これら脚部53によって回路基板41にはんだ付け接続されるため、回路基板41に対する接続強度を確保することができる。
【００４９】
また、電源装置13の基板側端子52が板状に設けられ、端子台12の端子台側端子31が板ばねで構成されるとともに端子収納部35内に収納される構成であるため、電源装置13の回路基板41の構成を簡素化できる。
【００５０】
なお、端子台12の端子台側端子31と電源装置13の基板側端子52とが直接接続可能であれば、例えば、端子台側端子31および端子収納部35の構造を回路基板41側に設け、端子側端子52の構造を端子台12側に設けてもよい。
【００５１】
また、端子台本体30の幅や高さがケース40のケース縁部40aの幅や高さよりも広くかつ高いことにより、端子台12の動きをケース縁部40aによって確実に規制できるが、端子台本体30の第２の面30bがケース40のケース縁部40aに対向すれば、端子台本体30の幅がケース40のケース縁部40aの幅よりも広いだけでもよいし、あるいは、端子台本体30の高さがケース40のケース縁部40aの高さよりも広いだけでもよい。
【００５２】
また、端子台本体30の第２の面30bがケース40のケース縁部40aに対向するように、端子台12をケース40に取り付ければ、端子台本体30の幅や高さがケース40のケース縁部40aの幅や高さよりも広かったり高かったりしなくてもよい。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
10    照明器具
12    端子台
13    電源装置
30    端子台本体
30a   第１の面
30b   第２の面
31    端子台側端子
32    電線挿入孔
35a   対向部位
40    ケース
40a   ケース縁部
41    回路基板
50    電源回路
51    電子部品
52    基板側端子
60    光源
【図１】
2019175591.tif 000003
【図２】
2019175591.tif 000004
【図３】
2019175591.tif 000005
【図４】
2019175591.tif 000006
【図５】
2019175591.tif 000007
【図６】
2019175591.tif 000008
【図７】
2019175591.tif 000009
【図８】
2019175591.tif 000010
【図９】
2019175591.tif 000011